(57)【要約】【課題】便器と手摺りとの相対的位置関係を比較体験でき、しかも、それを簡素な設備構成で実現できてこの種の体験の普及を促進できる、便器と手摺りとの位置関係を比較体験するシステム等を提供する。【解決手段】床面１に体験用の便器２が設置されると共に、壁面３側に体験用の手摺り４が備えられ、前記便器２が床面１上を移動可能で、便器２を移動することによって便器２と前記手摺り４との相対的位置関係を変更することができるようになされている。【選択図】      図１
2004264552.tif 000002
【特許請求の範囲】
【請求項１】
床面に体験用の便器が設置されると共に、壁面側に体験用の手摺りが備えられ、前記便器が床面上を移動可能で、便器を移動することによって便器と前記手摺りとの相対的位置関係を変更することができるようになされていることを特徴とする便器と手摺りの位置関係を比較体験するシステム。
【請求項２】
手摺りの一部又は全部が、便器に対する立ち座り動作において身体の支えとなる垂直手摺り部からなる請求項１に記載のシステム。
【請求項３】
手摺りの一部又は全部が、便器に座った状態において身体の支えとなる水平手摺り部からなる請求項１に記載のシステム。
【請求項４】
手摺りが、便器に対する立ち座り動作において身体の支えとなる垂直手摺り部と、便器に座った状態において身体の支えとなる水平手摺り部とを備えたＬ型手摺り部を備えている請求項１に記載のシステム。
【請求項５】
請求項１乃至４のいずれか一に記載のシステムを用い、体験希望者に、便器と手摺りとの位置関係を比較体験させることを特徴とする体験提供方法。
【発明の詳細な説明】
【０００１】
【発明の属する技術分野】
本発明は、便器と手摺りとの位置関係を比較体験するシステム及び同体験提供方法に関する。
【０００２】
【従来の技術及び課題】
住宅の新築や増改築において、新たに導入しようとするトイレについて、壁に取り付けられる手摺りと便器との相対的位置関係がどのような関係にあれば、使用者が手摺りを使いやすいかを、予め比較体験できると非常に便利である。
【０００３】
本発明は、そのような背景において、便器と手摺りとの相対的位置関係を比較体験することができ、しかも、それを簡素な設備構成で実現することができてこの種の体験の普及を促進することができる、便器と手摺りとの位置関係を比較体験するシステム等を提供することを課題とする。
【０００４】
【課題を解決するための手段】
上記の課題は、床面に体験用の便器が設置されると共に、壁面側に体験用の手摺りが備えられ、前記便器が床面上を移動可能で、便器を移動することによって便器と前記手摺りとの相対的位置関係を変更することができるようになされていることを特徴とする便器と手摺りの位置関係を比較体験するシステムによって解決される。
【０００５】
このシステムでは、便器を移動し、便器と手摺りとの相対的位置関係を変更することによって、便器と手摺りの相対的位置関係を種々比較体験することができる。
【０００６】
しかも、便器と手摺りとの相対的位置関係の変更を、床面上を移動可能な便器の移動によって行うようになされているので、位置関係の変更のために、壁を動かしたり、床を動かしたりする必要がなく、便器を動かすだけでよく、簡素な設備構成で便器と手摺りの位置関係を比較体験することができ、この種の体験の普及を促進することができる。
【０００７】
上記のシステムにおいて、手摺りの一部又は全部が、便器に対する立ち座り動作において身体の支えとなる垂直手摺り部からなる場合は、便器に対する立ち座りの動作における、便器と垂直手摺り部との位置関係を、便器を移動しながら比較体験することができ、体験者にとっての使いやすい位置関係と使いにくい位置関係を体験的に把握することができる。
【０００８】
また、上記のシステムにおいて、手摺りの一部又は全部が、便器に座った状態において身体の支えとなる水平手摺り部からなる場合は、便器に座った状態での身体の支え具合についての、便器と垂直手摺り部との位置関係を、便器を移動しながら比較体験することができ、体験者にとっての使いやすい位置関係と使いにくい位置関係を体験的に把握することができる。
【０００９】
更に、手摺りが、便器に対する立ち座り動作において身体の支えとなる垂直手摺り部と、便器に座った状態において身体の支えとなる水平手摺り部とを備えたＬ型手摺り部を備えている場合は、便器に腰を下ろしていく、便器に腰を下ろした状態でいる、そして、便器から立ち上がっていくという一連の動作における手摺りによる身体の支え具合について、便器とＬ型手摺り部との位置関係を、便器を移動しながら比較体験することができ、体験者にとっての使いやすい位置関係と使いにくい位置関係を体験的に把握することができる。
【００１０】
なお、水平手摺り部を備えた手摺りと便器との相対高さ位置関係について、手摺りが壁面に対し高さ位置を変更できるように備えられているか、あるいは、便器に昇降機構が備えられていて便座の高さ位置を変更できるようになっているか、あるいは、それらの両方が採用されている場合は、水平手摺り部と便器との相対高さ位置関係について、種々体験することができる。
【００１１】
上記のシステムを用い、体験希望者に、便器と手摺りとの位置関係を比較体験させることによって、体験をさせる側は、システムの設備構成が簡素であるがゆえに、本体験システムを容易に導入していくことができ、希望者の体験希望に容易に応えていくことができて、体験を世の中に広く普及させていくことができる。
【００１２】
【発明の実施の形態】
次に、本発明の実施形態を図面に基づいて説明する。
【００１３】
図１及び図２に示す実施形態の体験システムにおいて、１は床であり、床１には体験用の便器２が設置され、便器２の脇に壁３が立ち上げられ、壁３と床１との相対的位置関係は固定で、壁面３には手摺り４が取り付けられている。そして、便器２は、腰掛け式の便器からなり、床面１上に移動可能に設置され、便器２を床面１上で前後左右、即ち、水平二次元方向に移動することによって、便器２と手摺り４との相対的位置関係を変更することができるようになされている。
【００１４】
本実施形態では、床面１に座標表示としてのグリッド５が設けられ、手摺り４と便器２との相対的位置関係をグリッド５によって寸法的に把握することができるようになされている。なお、便器２は、床面１上を無段階で自由に移動できるように設置されていてもよいし、あるいは、床面１と便器２とに互いに嵌り合う凹凸を設けておき、凹凸を嵌合することで、便器２を、床面１上で水平二次元方向の設定位置に段階的に移動できるようになされていてもよい。後者の場合は、床１にグリッド５を設けるか否かを問わず、床面１側の嵌め込み位置で、手摺り４と便器２との相対的位置関係を寸法的に把握できるようになされていてもよい。
【００１５】
手摺り４は、垂直手摺り部４ｂと水平手摺り部４ｃとで構成されるＬ型手摺り部４ａを含むものからなり、本実施形態では、Ｌ型手摺り部４ａのみを備えたものからなっている。
【００１６】
垂直手摺り部４ｂは、便器２に座ったり、便器２から立ったりするいわゆる立ち座り動作において身体の支えとなるものであり、水平手摺り部４ｃは、便器２に座った状態において身体の支えとなるものである。これら垂直手摺り部４ｂと水平手摺り部４ｃとを備えたＬ型の手摺り４は、便器２に対する立ち座り動作及び便器に腰を下ろしている状態において身体を安定良く支えるのに寄与する。
【００１７】
上記の体験システムでは、体験希望者は、床面１の適当な位置に設置されている便器２に対し、壁面３の垂直手摺り部４ｂを掴みながら、便器２に腰を下ろしていき、次いで、便器２に腰を下ろした状態で水平手摺り部４ｃを掴み、しかる後、垂直手摺り部４ｂを掴んで便器２から立ち上がるという一連の動作を行う。そして、図３及び図４に示すように、便器２を床面１上の水平二次元方向の異なるいくつかの位置に移動し、その位置で上記の一連の動作を行うことを繰り返す。こうして、体験者は、手摺り４と便器２との相対的位置関係について、使いやすいあるいは使いにくい相対的位置関係を把握することができる。
【００１８】
そして、垂直手摺り部４ｂと水平手摺り部４ｃのいずれか一方又は両方に寸法の目盛り標示が付されている場合は、手摺り４と便器２との使いやすい相対的位置関係において、垂直手摺り部４ｂや水平手摺り部４ｃがどの程度の長さ寸法必要かを把握することも可能となる。
【００１９】
このように、上記の体験システムでは、便器２を移動し、便器２と壁３の手摺り４との相対的位置関係を変更することによって、便器２と手摺り４の相対的位置関係を種々比較体験することができる。
【００２０】
しかも、便器２と壁３の手摺り４との相対的位置関係の変更を、床面１上を移動可能な便器２の移動によって行うようになされているので、位置関係の変更のために、壁３を動かしたり、床１を動かしたりする必要がなく、便器２を動かすだけでよく、簡素な設備構成で便器２と手摺り４の位置関係を比較体験することができる。
【００２１】
そして、上記のシステムを用い、体験希望者に、便器２と手摺り４との位置関係を比較体験させることによって、体験をさせる側は、システムの設備構成が簡素であるがゆえに、本体験システムを容易に導入していくことができ、希望者の体験希望に容易に応えていくことができて、体験を世の中に広く普及させていくことができる。
【００２２】
以上に、本発明の実施形態を示したが、本発明はこれに限られるものではなく、発明思想を逸脱しない範囲で各種の変更が可能である。例えば、上記の実施形態では、手摺りがＬ型手摺りからなる場合を示したが、Ｌ型手摺り部とその他の手摺り部とを備えた手摺りであってもよいし、水平手摺り部とその他の手摺り部とを備えたものであってもよいし、垂直手摺り部とその他の手摺り部とを備えたものであってもよいし、水平手摺り部のみの手摺りであってもよいし、垂直手摺り部のみの手摺りであってもよい。
【００２３】
また、上記の実施形態では、便器２を人手によって床面１上で移動させるようにしたものについて示しているが、便器が床面上を搬送機構によって自動で水平二次元方向に移動するようになされたものであってよい。その場合でも、移動の対象は壁や床ではなく、コンパクトな便器であるので、簡素な搬送機構の組み込みによってによって便器移動の自動化を行うことができ、体験システムを容易に実現することができる。そして、その場合や他の場合、例えば凹凸嵌合方式の場合等において、手摺りに対する移動後の便器の位置を二次元データとしてデジタル表示する表示手段を備えさせるようにしてもよい。
【００２４】
【発明の効果】
本発明は、以上のとおりのものであるから、便器と手摺りとの相対的位置関係を種々比較体験することができ、しかも、それを簡素な設備構成で実現することができてこの種の体験の普及を促進することができる。
【図面の簡単な説明】
【図１】実施形態の体験システムを示す全体斜視図である。
【図２】図（イ）は同平面図、図（ロ）は同側面図、図（ハ）は同正面図である。
【図３】図（イ）乃至図（ハ）はそれぞれ使用方法の例を示す側面図である。
【図４】図（イ）乃至図（ハ）はそれぞれ使用方法の例を示す正面図である。
【符号の説明】
１…床
２…体験用便器
３…壁
４…体験用手摺り
【図１】
2004264552.tif 000003
【図２】
2004264552.tif 000004
【図３】
2004264552.tif 000005
【図４】
2004264552.tif 000006